(57)【要約】      （修正有）【課題】長尺状スリーブの管径が小さく、外形がペン型であり、携帯及び収納に便利なペン型カメラ用三脚を提供する。【解決手段】ペン型カメラ用三脚は、長尺状スリーブ１０、三脚セット２０、固定ピン３０、短尺状スリーブ４０及び雲台６０を備える。長尺状スリーブ１０は、内側に内管１１が設けられ、底部に係止孔１２が設けられる。三脚セット２０は、長尺状スリーブ１０の内管１１内に設置される３本の脚パイプ２１を有する。脚パイプ２１内には、伸縮パイプ２２がそれぞれ設置される。脚パイプ２１の上部には、回転軸２５が係合される。カラム３１の下部周縁には、３つの係止孔３３が設けられ、係止孔３３それぞれに管クランプベース２６の係合片２６１が係合されて固定される。雲台６０は、長尺状スリーブ１０の係止孔１２に係合させる自在継手６１が頂端に設けられるとともに、底端にねじ軸６２を有する。【選択図】図２
0003181900.tif 000002
【実用新案登録請求の範囲】
【請求項１】
長尺状スリーブ、三脚セット、固定ピン、短尺状スリーブ及び雲台を備えたペン型カメラ用三脚であって、
前記長尺状スリーブは、内側に内管が設けられ、底部に係止孔が設けられ、
前記三脚セットは、前記長尺状スリーブの前記内管内に設置される３本の脚パイプを有し、前記脚パイプ内には、伸縮パイプがそれぞれ設置され、前記脚パイプの上部には、回転軸が係合され、前記回転軸上方の左側及び右側には、軸棒がそれぞれ突設され、前記軸棒上には、管クランプベースがそれぞれ枢着され、前記管クランプベース３つにより円柱体が構成され、前記長尺状スリーブの前記内管は、前記管クランプベースそれぞれの底端に嵌合され、前記円柱体は、上部に円孔が形成され、前記管クランプベースには、側部上部に係合片がそれぞれ設けられ、下部に軸孔が設けられ、前記管クランプベースに隣接した２つの前記軸孔に前記回転軸の２つの前記軸棒がそれぞれ枢着され、
前記固定ピンは、下方に設けられたカラムを有し、前記カラムは、前記円柱体で覆われ、頂端にねじ孔が形成され、前記カラムの下部周縁には、３つの係止孔が設けられ、前記係止孔それぞれに前記管クランプベースの前記係合片が係合されて固定され、
前記短尺状スリーブは、前記円柱体に外嵌され、凸柱が上部に形成され、前記凸柱の頂端は、ねじ軸に形成され、前記ねじ軸の中央部には、穿孔が設けられ、ねじを前記穿孔に挿設して前記固定ピンの前記ねじ孔へ螺合させ、
前記雲台は、前記長尺状スリーブの前記係止孔に係合させる自在継手が頂端に設けられるとともに、底端にねじ軸を有し、
前記長尺状スリーブを前記三脚セットから取り外し、前記三脚セットの前記３本の脚パイプを展開し、取り外した前記長尺状スリーブの前記内管を前記短尺状スリーブの前記凸柱へ外嵌し、三脚の全体高さを大きくし、前記長尺状スリーブの端部に設けた前記雲台上の前記ねじ軸には、他の方式により前記カメラを取り付けることも可能であることを特徴とするペン型カメラ用三脚。
【請求項２】
前記短尺状スリーブの前記ねじ軸には、短尺状スリーブ蓋が螺合されることを特徴とする請求項１に記載のペン型カメラ用三脚。
【請求項３】
前記長尺状スリーブの底端には、長尺状スリーブ蓋が嵌着されることを特徴とする請求項１に記載のペン型カメラ用三脚。
【請求項４】
前記伸縮パイプの底部には、管内柱が係合され、
前記管内柱の底部には、脚部クッションが嵌着されることを特徴とする請求項１に記載のペン型カメラ用三脚。
【考案の詳細な説明】
【技術分野】
【０００１】
本考案は、ペン型カメラ用三脚に関するものであり、さらに詳しくは、ペン形状の外形を有するカメラ用三脚に関するものである。
【背景技術】
【０００２】
従来のカメラ用三脚は、体積が大きく、携帯及び収納をすることが不便であり、三脚パイプ内の伸縮パイプを延ばして三脚の高さを大きくする方式だけが提供されてきた。かかるカメラ用三脚は、三脚全体を高くすることができなかったため、他の製品に対して競争力が低く、改善が求められていた。
【０００３】
カメラ用三脚については多数の提案があり、例えば、特開２００３-９７７９１号公報（以下、「特許文献１」という。）には、ローアングルでの撮影時にカメラを地表面近くに設置することが可能な刺し込み脚を設けることが記載されている。また、実用新案登録第３０１９８２０号公報（以下、「特許文献２」という。）には、カメラ用三脚の雲台の下面側に拡開傾斜角度を異にするセットの脚取付螺子孔を螺設した構造としたので、脚部材を選択螺着することによって、拡開傾斜角度を変えることができ、使用時のふんばりを変えることができると記載されている。しかし、特許文献１および２には、携帯および収納が容易な構成については開示がない。
【特許文献１】特開２００３-９７７９１号公報
【特許文献２】実用新案登録第３０１９８２０号公報
【考案の概要】
【考案が解決しようとする課題】
【０００４】
従って、本考案の課題は、長尺状スリーブの管径が小さく、外形がペン型であり、携帯及び収納に便利なペン型カメラ用三脚を提供することにある。
【０００５】
本考案のもう一つの課題は、２種類の異なる高さを有する三脚にカメラを取り付けることができる上、長尺状スリーブを取り外して短尺状スリーブ上のねじ軸にカメラを取り付けたり、長尺状スリーブを短尺状スリーブ上へ反対方向で取り付け、長尺状スリーブの底端に枢着した雲台に他の方式によりカメラを取り付けたりすることができるペン型カメラ用三脚を提供することにある。
【課題を解決するための手段】
【０００６】
そこで、本考案者は、前記の問題点を解消するため、鋭意検討を重ねた結果、管クランプベース、軸棒及びパイプから構成される三脚セットを利用することにより、達成できることに着目し、かかる知見に基いて本考案に想到するに至った。
【０００７】
かくして、前記課題を解決するために、本考案によれば、長尺状スリーブ、三脚セット、固定ピン、短尺状スリーブ及び雲台を備えたペン型カメラ用三脚であって、
前記長尺状スリーブは、内側に内管が設けられ、底部に係止孔が設けられ、
前記三脚セットは、前記長尺状スリーブの前記内管内に設置される３本の脚パイプを有し、前記脚パイプ内には、伸縮パイプがそれぞれ設置され、前記脚パイプの上部には、回転軸が係合され、前記回転軸上方の左側及び右側には、軸棒がそれぞれ突設され、前記軸棒上には、管クランプベースがそれぞれ枢着され、前記管クランプベース３つにより円柱体が構成され、前記長尺状スリーブの前記内管は、前記管クランプベースそれぞれの底端に嵌合され、前記円柱体は、上部に円孔が形成され、前記管クランプベースには、側部上部に係合片がそれぞれ設けられ、下部に軸孔が設けられ、前記管クランプベースに隣接した２つの前記軸孔に前記回転軸の２つの前記軸棒がそれぞれ枢着され、
前記固定ピンは、下方に設けられたカラムを有し、前記カラムは、前記円柱体で覆われ、頂端にねじ孔が形成され、前記カラムの下部周縁には、３つの係止孔が設けられ、前記係止孔それぞれに前記管クランプベースの前記係合片が係合されて固定され、
前記短尺状スリーブは、前記円柱体に外嵌され、凸柱が上部に形成され、前記凸柱の頂端は、ねじ軸に形成され、前記ねじ軸の中央部には、穿孔が設けられ、ねじを前記穿孔に挿設して前記固定ピンの前記ねじ孔へ螺合させ、
前記雲台は、前記長尺状スリーブの前記係止孔に係合させる自在継手が頂端に設けられるとともに、底端にねじ軸を有し、
前記長尺状スリーブを前記三脚セットから取り外し、前記三脚セットの前記３本の脚パイプを展開し、取り外した前記長尺状スリーブの前記内管を前記短尺状スリーブの前記凸柱へ外嵌し、三脚の全体高さを大きくし、前記長尺状スリーブの端部に設けた前記雲台上の前記ねじ軸には、他の方式により前記カメラを取り付けることも可能であることを特徴とするペン型カメラ用三脚が提供される。
【０００８】
前記短尺状スリーブの前記ねじ軸には、短尺状スリーブ蓋が螺合されることが好ましい。
【０００９】
前記長尺状スリーブの底端には、長尺状スリーブ蓋が嵌着されることが好ましい。
【００１０】
前記伸縮パイプの底部には、管内柱が係合され、前記管内柱の底部には、脚部クッションが嵌着されることが好ましい。
【考案の効果】
【００１１】
本考案は、前記の通りの構成からなり、含有体積が小さく、携帯および収納が容易であり、また、カメラを二種類の方式により取り付けることもできるので、利便性に優れたものである。
【図面の簡単な説明】
【００１２】
【図１】図１は、本考案の一実施形態に係るペン型カメラ用三脚を示す斜視図である。
【図２】図２は、本考案の一実施形態に係るペン型カメラ用三脚を示す分解斜視図である。
【図３】図３は、本考案の一実施形態に係るペン型カメラ用三脚を示す縦断面図である。
【図４】図４は、本考案の第１実施形態に係るペン型カメラ用三脚を示す斜視図である。
【図５】図５は、本考案の第２実施形態に係るペン型カメラ用三脚を示す斜視図である。
【考案を実施するための形態】
【００１３】
以下、本考案の実施形態について図面に基づいて説明する。なお、これによって本考案が限定されるものではない。
【００１４】
図１及び図２を参照する。図１及び図２に示すように、本考案の一実施形態に係るペン型カメラ用三脚は、少なくとも長尺状スリーブ１０、三脚セット２０、固定ピン３０、短尺状スリーブ４０、短尺状スリーブ蓋５０、雲台６０及び長尺状スリーブ蓋７０から構成される。
【００１５】
長尺状スリーブ１０は、内側に内管１１が設けられ、底部に係止孔１２が設けられる。
【００１６】
三脚セット２０は、下半部に３つの脚パイプ２１を有するとともに、長尺状スリーブ１０の内管１１内に設置して隠すことができる。各脚パイプ２１内には、伸縮パイプ２２をそれぞれ隠すことができる。伸縮パイプ２２の底部には、管内柱２３が係合される。管内柱２３の底部には、脚部クッション２４が嵌着される。脚パイプ２１の上部には、回転軸２５が係合される。回転軸２５上方の左側及び右側には、軸棒２５１がそれぞれ突設される。
【００１７】
図３を参照する。図３に示すように、回転軸２５の上部には、管クランプベース２６がそれぞれ枢着される。管クランプベース２６は３つ組み合わされて円柱体が構成される。長尺状スリーブ１０の内管１１は、３つの管クランプベース２６の底端に嵌合される。円柱体は、固定ピン３０の下方のカラム３１を覆い、上部に円孔２６０が形成される。円孔２６０には、固定ピン３０が貫設され、固定ピン３０の頂端にねじ孔３２が形成されている。固定ピン３０のカラム３１の下部周縁には、３つの係止孔３３が等間隔で設けられている。管クランプベース２６には、側部の上部に係合片２６１が設けられ、下部に軸孔２６２が設けられている。係合片２６１は、カラム３１の係止孔３３に係合されて固定され、管クランプベース２６に隣接して設けられた２つの軸孔２６２に回転軸２５の２つの軸棒２５１をそれぞれ枢着させる。これにより、回転軸２５は、軸棒２５１を中心に揺動自在となる。本実施形態は、３つの管クランプベース２６と固定ピン３０とを密着させて円柱体の直径を小さくすることにより、長尺状スリーブ１０の管径を最小まで縮小して三脚全体の外形をペン型に形成する（これは本考案の主な特徴の一つである）。
【００１８】
３つの管クランプベース２６を互いに結合させて円柱体を構成し、上方の短尺状スリーブ４０を嵌合させる。短尺状スリーブ４０上には、凸柱４１が形成される。凸柱４１の頂端は、ねじ軸４２に形成される。ねじ軸４２の中央部には、穿孔４２１が設けられ、穿孔４２１へねじＡを挿設させて固定ピン３０のねじ孔３２へ螺合させる。短尺状スリーブ蓋５０は、それが有するネジ山により短尺状スリーブ４０のねじ軸４２に螺合される。
【００１９】
雲台６０は、頂端に設けられた自在継手６１を有する。自在継手６１は、長尺状スリーブ１０の係止孔１２に係合され、底端にねじ軸６２を有する。
【００２０】
長尺状スリーブ蓋７０は、端部に設けられた蓋孔７１を介して長尺状スリーブ１０に外嵌され、図１に示すような外形が形成される。
【００２１】
本考案の２つ目の主な特徴は、三脚の高さを２種類の異なる高さにすることができる点にある。
【００２２】
（第１実施形態）
図４を参照する。図４に示すように、本考案の第１実施形態に係るペン型カメラ用三脚は、まず、長尺状スリーブ１０を取り外して傍らに置き、長尺状スリーブ１０内に隠しておいた３つの脚パイプ２１を下から上方向にかけて揺動させ、上から見て等辺三角形に３本の三脚の脚を展開し、短尺状スリーブ蓋５０を取り外して傍らに置き、短尺状スリーブ４０上から露出されたねじ軸４２を、カメラＢの底端に設けられたねじ孔Ｂ１内に螺合させてカメラＢの高さを第１の高さにする。
【００２３】
（第２実施形態）
図５を参照する。図５に示すように、本考案の第２実施形態に係るペン型カメラ用三脚は、取り外した長尺状スリーブ１０を短尺状スリーブ４０上に反対方向で嵌合させ、長尺状スリーブ１０の内管１１を短尺状スリーブ４０の凸柱４１に外嵌させると、部品を付加的に設置しなくとも、三脚全体の高さを大きくすることができる。長尺状スリーブ１０の端部を雲台６０上に設けたねじ軸６２に螺着させ、カメラＢの底端に設けたねじ孔Ｂ１に螺合させ、三脚全体を第２の高さにしてカメラＢを取り付ける。即ち、３本の脚パイプ２１内の伸縮ロッドを延ばし、脚パイプ２１を高くしてカメラＢを取り付ける。
【００２４】
上述したことから分かるように、本考案のペン型カメラ用三脚は、体積が小さなペン型の外形を有するため、携帯したり収納したりすることができる上、カメラを２種類の方式により取り付けることができるため、実用性が高く、製品の競争力が高い。
【００２５】
以上、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２６】
１０  長尺状スリーブ
１１  内管
１２  係止孔
２０  三脚セット
２１  脚パイプ
２２  伸縮パイプ
２３  管内柱
２４  脚部クッション
２５  回転軸
２６  管クランプベース
３０  固定ピン
３１  カラム
３２  ねじ孔
３３  係止孔
４０  短尺状スリーブ
４１  凸柱
４２  ねじ軸
５０  短尺状スリーブ蓋
６０  雲台
６１  自在継手
６２  ねじ軸
７０  長尺状スリーブ蓋
７１  蓋孔
２５１  軸棒
２６０  円孔
２６１  係合片
２６２  軸孔
４２１  穿孔
Ａ  ねじ
Ｂ  カメラ
Ｂ１  ねじ孔
【図１】
0003181900.tif 000003
【図２】
0003181900.tif 000004
【図３】
0003181900.tif 000005
【図４】
0003181900.tif 000006
【図５】
0003181900.tif 000007